【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
シートを搬送可能なシート搬送部と、
光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、
前記シート搬送部を前記画像読取部に対して開閉可能に取り付ける開閉装置と、を備え、
前記開閉装置は、前記シート搬送部によって搬送されているシートの画像が前記画像読取部に読み取られる位置である読取位置から、前記移動部の移動方向において第１距離だけ離れた位置に設けられた第１開閉ユニットと、前記読取位置から前記移動方向において前記第１距離よりも長い第２距離だけ離れた位置に設けられた第２開閉ユニットと、を備え、
前記第２開閉ユニットは前記シート搬送部が開位置から閉位置に向かう際の下降速度を低減させる減衰装置を備え、前記第１開閉ユニットは減衰装置を備えていない、
ことを特徴とする画像読取装置。
【請求項２】
シートを搬送可能なシート搬送部と、
光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、
前記シート搬送部を前記画像読取部に対して開閉可能に取り付ける開閉装置と、を備え、
前記開閉装置は、前記移動部の移動方向において前記シート搬送部の重心位置から第３距離だけ離れた位置に設けられた第１開閉ユニットと、前記移動方向において前記重心位置から前記第３距離よりも長い第４距離だけ離れた位置に設けられた第２開閉ユニットと、を備え、
前記第２開閉ユニットは前記シート搬送部が開位置から閉位置に向かう際の下降速度を低減させる減衰装置を備え、前記第１開閉ユニットは減衰装置を備えていない、
ことを特徴とする画像読取装置。
【請求項３】
前記シート搬送部の重心位置は、前記移動方向において、前記シート搬送部の中央位置よりも前記第１開閉ユニット側に位置している、
ことを特徴とする請求項２記載の画像読取装置。
【請求項４】
前記第１開閉ユニットは、前記シート搬送部を閉位置から開位置へと向かう方向に付勢する第１付勢部材と、を備え、
前記第２開閉ユニットは、前記シート搬送部を閉位置から開位置へと向かう方向に付勢する第２付勢部材と、を備え、
前記第１付勢部材は、前記第２付勢部材よりも付勢力が大きくなるように形成されている、
ことを特徴とする請求項１乃至３のいずれか１項記載の画像読取装置。
【請求項５】
シートを搬送可能なシート搬送部と、
光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、
前記シート搬送部を前記画像読取部に対して開閉可能に取り付ける開閉装置と、を備え、
前記開閉装置は、前記移動部の移動方向において異なる位置に設けられた第１及び第２開閉ユニットを備え、
前記第１開閉ユニットは、第１回動軸と、前記第１回動軸に前記シート搬送部が閉位置から開位置へと向かう方向のトルクを生じさせる第１付勢部材と、を備え、
前記第２開閉ユニットは、第２回動軸と、前記シート搬送部が閉位置から開位置へと向かう方向でかつ、前記第１付勢部材よりも小さいトルクを前記第２回動軸に生じさせる第２付勢部材と、前記シート搬送部が開位置から閉位置に向かう際の下降速度を低減させる減衰装置と、を備え、
前記第１開閉ユニットは、前記シート搬送部が開位置から閉位置に向かう際の下降速度を低減させる減衰装置を備えていない、
ことを特徴とする画像読取装置。
【請求項６】
シートを搬送可能なシート搬送部と、
前記シート搬送部によって搬送されているシートの画像を読取位置にて読み取り可能な画像読取部と、
前記シート搬送部を前記画像読取部に対して軸線を中心として回転自在に支持する開閉第１支持部と、
前記シート搬送部を前記画像読取部に対して前記軸線を中心として回転自在に支持する、前記軸線に沿った方向における位置が前記第１支持部とは異なっている第２支持部と、を有し、
前記軸線に沿った方向における前記読取位置と前記第１支持部との間の距離は、前記軸線に沿った方向における前記読取位置と前記第２支持部との間の距離よりも短く、
前記第２支持部は、前記シート搬送部の前記軸線を中心とした開位置から閉位置に向かう方向への回動に対して抵抗を与えるオイルダンパを備え、
前記第１支持部は、前記シート搬送部の前記軸線を中心とした開位置から閉位置に向かう方向への回動に対して抵抗を与えるオイルダンパを備えていない、
ことを特徴とする画像読取装置。
【請求項７】
前記第１支持部は、前記シート搬送部を閉位置から開位置へと向かう方向に付勢する第１付勢部材を備え、
前記第２支持部は、前記シート搬送部を閉位置から開位置へと向かう方向に付勢する第２付勢部材を備える、
ことを特徴とする請求項６に記載の画像読取装置。
【請求項８】
請求項１乃至７のいずれか１項記載の画像読取装置と、
前記画像読取装置によって読み取られた画像情報に基づいてシート上に画像を形成する画像形成部と、を備えた、
ことを特徴とする画像形成装置。
【手続補正２】
【補正対象書類名】明細書
【補正対象項目名】０００８
【補正方法】変更
【補正の内容】
【０００８】
本発明に係る画像読取装置は、シートを搬送可能なシート搬送部と、光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、前記シート搬送部を前記画像読取部に対して開閉可能に取り付ける開閉装置と、を備え、前記開閉装置は、前記シート搬送部によって搬送されているシートの画像が前記画像読取部に読み取られる位置である読取位置から、前記移動部の移動方向において第１距離だけ離れた位置に設けられた第１開閉ユニットと、前記読取位置から前記移動方向において前記第１距離よりも長い第２距離だけ離れた位置に設けられた第２開閉ユニットと、を備え、前記第２開閉ユニットは前記シート搬送部が開位置から閉位置に向かう際の下降速度を低減させる減衰装置を備え、前記第１開閉ユニットは減衰装置を備えていない、ことを特徴とする。
【手続補正３】
【補正対象書類名】明細書
【補正対象項目名】０００９
【補正方法】変更
【補正の内容】
【０００９】
また、本発明に係る画像読取装置は、シートを搬送可能なシート搬送部と、光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、前記シート搬送部を前記画像読取部に対して開閉可能に取り付ける開閉装置と、を備え、前記開閉装置は、前記移動部の移動方向において前記シート搬送部の重心位置から第３距離だけ離れた位置に設けられた第１開閉ユニットと、前記移動方向において前記重心位置から前記第３距離よりも長い第４距離だけ離れた位置に設けられた第２開閉ユニットと、を備え、前記第２開閉ユニットは前記シート搬送部が開位置から閉位置に向かう際の下降速度を低減させる減衰装置を備え、前記第１開閉ユニットは減衰装置を備えていない、ことを特徴とする。
【手続補正４】
【補正対象書類名】明細書
【補正対象項目名】００１０
【補正方法】変更
【補正の内容】
【００１０】
更に、本発明に係る画像読取装置は、シートを搬送可能なシート搬送部と、光源を有すると共に所定方向に移動可能な移動部と、前記光源から発せられてシートで反射された反射光を光電変換する撮像素子と、を備え、前記シート搬送部によって搬送されているシートの画像を読み取り可能な画像読取部と、前記シート搬送部を前記画像読取部に対して開閉可能に取り付ける開閉装置と、を備え、前記開閉装置は、前記移動部の移動方向において異なる位置に設けられた第１及び第２開閉ユニットを備え、前記第１開閉ユニットは、第１回動軸と、前記第１回動軸に前記シート搬送部が閉位置から開位置へと向かう方向のトルクを生じさせる第１付勢部材と、を備え、前記第２開閉ユニットは、第２回動軸と、前記シート搬送部が閉位置から開位置へと向かう方向でかつ、前記第１付勢部材よりも小さいトルクを前記第２回動軸に生じさせる第２付勢部材と、前記シート搬送部が開位置から閉位置に向かう際の下降速度を低減させる減衰装置と、を備え、前記第１開閉ユニットは、前記シート搬送部が開位置から閉位置に向かう際の下降速度を低減させる減衰装置を備えていない、ことを特徴とする。
【手続補正５】
【補正対象書類名】明細書
【補正対象項目名】００１１
【補正方法】変更
【補正の内容】
【００１１】
本発明の一態様は、シートを搬送可能なシート搬送部と、前記シート搬送部によって搬送されているシートの画像を読取位置にて読み取り可能な画像読取部と、前記シート搬送部を前記画像読取部に対して軸線を中心として回転自在に支持する開閉第１支持部と、前記シート搬送部を前記画像読取部に対して前記軸線を中心として回転自在に支持する、前記軸線に沿った方向における位置が前記第１支持部とは異なっている第２支持部と、を有し、前記軸線に沿った方向における前記読取位置と前記第１支持部との間の距離は、前記軸線に沿った方向における前記読取位置と前記第２支持部との間の距離よりも短く、前記第２支持部は、前記シート搬送部の前記軸線を中心とした開位置から閉位置に向かう方向への回動に対して抵抗を与えるオイルダンパを備え、前記第１支持部は、前記シート搬送部の前記軸線を中心とした開位置から閉位置に向かう方向への回動に対して抵抗を与えるオイルダンパを備えていない、ことを特徴とする画像読取装置である。